(57)【要約】【課題】手指による操作や、物の存在の認識などの学習を行えると共に、安全性が高く、発達段階に応じて使用可能な乳幼児玩具を提供することを課題とする。【解決手段】乳幼児用の乳幼児玩具１０であって、乳幼児玩具１０は、変形可能で柔軟性を有するほぼ球形状に形成された収容体２０と、収容体２０を収容可能な空洞３６及び開口部３１を有する変形可能で柔軟性を有する本体部３０と、収容体２０と本体部３０を連結する連結手段４０とで構成されており、開口部３１は本体部３０の全体よりも剛性が高く、収容体２０の外径は開口部３１の最小内径となる開口径３７よりも大きく形成している。【選択図】図１
2005312701.tif 000002
【特許請求の範囲】
【請求項１】
乳幼児用の乳幼児玩具であって、前記乳幼児玩具は、変形可能で柔軟性を有するほぼ球形状に形成された収容体と、前記収容体を収容可能な空洞及び開口部を有して変形可能で柔軟性を有する本体部と、前記収容体と本体部を連結する連結手段とで構成され、前記収容体は前記本体部に収容された状態において、前記開口部から視認可能に設けられ、前記開口部は、本体部の全体よりも剛性が高く形成されていると共に、前記収容体の外径は、前記開口部の最小内径となる開口径よりも大きく形成されていることを特徴とした乳幼児用玩具。
【請求項２】
請求項１において、前記収容体の高さは、前記本体部の深さより僅かに大きく設け、収容時に前記収容体が開口部から一部突出することによって、収容時に前記収容体の存在を開口部から視認可能としたことを特徴とした乳幼児玩具。
【請求項３】
請求項２において、前記本体部に収容された前記収容体を、更に押し込むように変形させると、前記収容体全体が前記本体部に収容されることを特徴とした乳幼児玩具。
【請求項４】
請求項１において、前記収容体を複数個備え、各収容体を各々本体部に接続する連結手段を有し、前記本体部から前記収容体の一つが取り出された状態において、他の収容体が前記開口部の一部を塞ぐことにより、前記開口部に開口された開口径の大きさが、一つの収容体の外径よりも小さくなることを特徴とした乳幼児玩具。
【請求項５】
請求項１乃至４のいずれか１項において、前記連結手段は、紐状に形成され、前記本体部における前記開口部の対向面に固定されており、前記連結手段の長さは、前記本体部の深さとほぼ同等としたことを特徴とした乳幼児玩具。
【請求項６】
請求項１乃至５のいずれか１項において、前記収容体が動物の一部又は全体を模した形に形成されていることを特徴とした乳幼児玩具。
【請求項７】
請求項１乃至６のいずれか１項において、前記収容体内部に発音手段を設けて構成したことを特徴とした乳幼児玩具。
【発明の詳細な説明】
【技術分野】
【０００１】
おおよそ１歳乃至２歳程度になるまでの乳幼児の発育を促す玩具に関するものである。
【背景技術】
【０００２】
従来、乳幼児等の発育を促す玩具として、特許文献１：登録実用新案第３０５０２６３号のように、厚手の布のような柔軟性のある材料で作られた三つあるいはそれ以上の複数の縫いぐるみがお互いに結合されていて、個々の空洞には他の縫いぐるみが収納できるようになっているものがある。また、この縫いぐるみと同様に、外形を生物の形態とすることも多く行われている。更に特許文献２：実開昭５２−０９６１００号では豆さやを模した袋に開口を設け、豆を模した複数の玉を収納可能とした豆おもちゃが開示されている。
【０００３】
しかしながら、従来の縫いぐるみ玩具では、１歳乃至２歳程度の乳幼児が使用するには、一つの縫いぐるみに他の縫いぐるみを収納するような操作を行うことは困難であった。つまり、乳幼児では手腕や指等の随意的な操作が困難であり、特に、一方の手で一つの縫いぐるみを手でつかみ、他方の手で他の縫いぐるみを空洞に対向するように正確に配置させて、空洞に挿入するという動きは、この時期の乳幼児には困難だった。そこで、乳幼児であっても、一つのものに他のものを出したり入れたりすることに興味を持たせて、物の出し入れなどを促すことで指先の操作を学習するだけでなく、母親などの介助者や乳幼児自身の操作によって、収納体への出し入れに伴って見えたり見えなくなったりする物の存在などの認識を促すことを、発達段階に応じて遊ながら実施できる乳幼児玩具が求められていた。
【特許文献１】登録実用新案第３０５０２６３号
【特許文献２】実開昭５９−０９６１００号
【発明の開示】
【発明が解決しようとする課題】
【０００４】
そこで、本発明は、上記従来技術の問題点に斯かる実情に鑑みなされたもので、指先の操作や、物の存在の認識などの学習を行えると共に、安全性の高い乳幼児玩具を提供することを課題とする。
【課題を解決するための手段】
【０００５】
請求項１記載の発明は、乳幼児用の乳幼児玩具であって、前記乳幼児玩具は、変形可能で柔軟性を有するほぼ球形状に形成された収容体と、前記収容体を収容可能な空洞及び開口部を有して変形可能で柔軟性を有する本体部と、前記収容体と本体部を連結する連結手段とで構成され、前記収容体は前記本体部に収容された状態において、前記開口部から視認可能に設けられ、前記開口部は、本体部の全体よりも剛性が高く形成されていると共に、前記収容体の外径は、前記開口部の最小内径となる開口径よりも大きく形成されていることを特徴とする。
【０００６】
請求項２記載の発明は、請求項１において、前記収容体の高さは、前記本体部の深さより僅かに大きく設け、収容時に前記収容体が開口部から一部突出することによって、収容時に前記収容体の存在を開口部から視認可能としたことを特徴とする。
【０００７】
請求項３記載の発明は、請求項２において、前記本体部に収容された前記収容体を、更に押し込むように変形させると、前記収容体全体が前記本体部に収容されることを特徴とする。
【０００８】
請求項４記載の発明は、請求項１において、前記収容体を複数個備え、各収容体を各々本体部に接続する連結手段を有し、前記本体部から前記収容体の一つの取り出された状態において、他の収容体が前記開口部の一部を塞ぐことにより、前記開口部に開口された開口径の大きさが、一つの収容体の外径よりも小さくなることを特徴とする。
【０００９】
請求項５記載の発明は、請求項１乃至４のいずれか１項において、前記連結手段は、紐状に形成され、前記本体部における前記開口部の対向面に固定されており、前記連結手段の長さは、前記本体部の深さとほぼ同等としたことを特徴とする。
【００１０】
請求項６記載の発明は、請求項１乃至５のいずれか１項において、前記収容体が動物の一部又は全体を模した形に形成されていることを特徴とする。
【００１１】
請求項７記載の発明は、請求項１乃至６のいずれか１項において、前記収容体内部に発音手段を設けて構成したことを特徴とする。
【発明の効果】
【００１２】
請求項１記載の発明によれば、母親や乳幼児自身が、本体部から出た状態の収容体を本体に収容する（隠れる）という操作や、本体部に収容された収容体を本体部から取り出す（表れる）という操作によって、収容体の存在の認識（見えないものが存在する事の認識）について学習できる。また、収容体が連結されている事で、紛失を防ぐだけでなく、収容体が本体部の開口部近傍に配置されるため、操作能力が低い乳幼児でも操作し易くできると共に、収容体を揺らしながら遊ぶ事もできる。さらに、開口部の外周が硬く、開口部外径よりも収容体が大きい事で、収容体が簡単に出てしまう事が無く、また収容体の挿入時に本体部における開口部が変形してしまい挿入しづらくなる事も防ぎ、「収容体を変形させながら出し入れする」という操作を促し、手腕や手指の動きについて練習を行う事ができる。更に、収容体を出す途中で止める事もできる為、一部が隠れた状態における存在の学習もできる。
【００１３】
請求項２記載の発明によれば、収容時において、収容体の一部が視認できる為、収容体の存在を認識しやすいだけでなく、収容体の一部が見えている事に伴って収容体全体の存在の想像を促すと共に興味を引く事となり、結果的に収容体を引き出す操作を促すことができる。
【００１４】
請求項３記載の発明によれば、本体部に収容体を収容した状態から更に、乳幼児玩具の形状を変化させ、押し込むことによって、乳幼児に更なる達成感を感じさせることができると共に、形状変形に基づく遊びにも使用可能である。また、完全に隠れているものが存在するという認識についても学習する事ができる。
【００１５】
請求項４記載の発明によれば、複数の収容体で遊べる為、出し入れするために必要な動きが増える事や、数の認識などのより複維な認識の学習や、操作の学習を促す事ができる。更に、複数の収容体が連結手段で本体部に連結される為、収容体を取り出して振って遊んだ場合に、より興味を引く動きとなる。
【００１６】
請求項５記載の発明によれば、収容体を引き出した際に、初めて収容体の全貌を把握可能とされており、更に、連結手段が収容体や本体部に絡まることがなく、また、収容体が開口部近傍に配置される為、収容体を開口部に正確に対向するよう位置決めする必要が無く、乳幼児の未熟な動きで操作が可能とされている為、操作に伴う発達を促すことができる。なお、連結手段があまり露出しないよう構成されている為に、乳幼児に絡まってしまう危険性も無く、安全に遊びながら学習する事ができる。
【００１７】
請求項６記載の発明によれば、収容体が動物の一部又は全体を模して形成することによって、収容体自体の認識を理解可能な存在として認識しやすく、乳幼児の興味を強く引くことができる。更に母親等の介助者が所謂「いないいないばぁ」遊びを行ってあげる事もでき、介助者とのコミュニケーション手段として一緒に遊びながら学習する事もできる。
【００１８】
請求項７記載の発明によれば、音の刺激も加わる為、乳幼児に対して興味を強く持たせると共に、生後２ヶ月程度の乳幼児でも、ガラガラ等と同様に本発明の乳幼児用玩具を握って振る動きを学習する為に使用することができる。
【発明を実施するための最良の形態】
【００１９】
収容体が単体の場合では、乳幼児用の乳幼児玩具であって、前記乳幼児玩具は、変形可能で柔軟性を有するほぼ球形状に形成された収容体と、前記収容体を収容可能な空洞及び開口部を有して変形可能で柔軟性を有する本体部と、前記収容体と本体部を連結する連結手段と、前記収容体内部に収容される発音手段で構成し、前記収容体の高さは、前記本体部の深さより僅かに大きく設け、収容時に前記収容体が開口部から一部突出することによって、収容時に前記収容体の存在を開口部から視認可能で、前記連結手段は、紐状に形成され、前記本体部における開口部の対向面に固定されており、前記連結手段の長さは、前記本体部の深さとほぼ同等とし、前記本体部に収容された前記収容体を、更に押し込むように変形させると、前記収容体全体が前記本体部に収容される。また、前記収容体が動物の一部又は全体を模した形に形成される。
【００２０】
収容体が複数の場合では、乳幼児用の乳幼児玩具であって、前記乳幼児玩具は、変形可能で柔軟性を有するほぼ球形状に形成された収容体と、前記収容体を収容可能な空洞及び開口部を有して変形可能で柔軟性を有する本体部と、前記収容体と本体部を連結する連結手段で構成し、前記収容体を複数個備え、各収容体を各々本体部に接続する連結手段を有し、前記本体部から前記収容体の一つの取り出された状態において、他の収容体が前記開口部の一部を塞ぐことにより、前記開口部に開口された開口径の大きさが、一つの収容体の外径よりも小さくなるようにする。
【実施例１】
【００２１】
図面を用いて、本発明の実施の例である乳幼児玩具１０の説明を行う。図１〜２は、実施の例の１例である乳幼児玩具１０である。図１は、乳幼児玩具１０の外観を表す図である。図２は、図１の実施の例の乳幼児玩具１０の断面を示す図である。図３は、乳幼児玩具１０の本体部３０をサイコロ状に形成した例である。
【００２２】
乳幼児玩具１０は、大きく３つで構成され、本体部３０、収容体２０、連結手段４０で構成されている。図１に示した本体部３０は、略球状とされた上側が切り取られた略半球形状で、内部が中空とされた袋状にしたものであり、その上部に開口部３１が設けられている。本体部３０は表地３０Ａと裏地３０Ｂ及び表地３０Ａに一体とされた芯地３０Ｃの各生地を重ねて縫製する事で形成されており、表地３０Ａ，裏地３０Ｂの材質は、ポリエステルや綿等のパイル織りされた生地表面と、その裏側にポリエステル等でなるバッキングクロスが貼着され、芯地３０Ｃは発泡ポリウレタン等のクッション材料で形成されており表地３０Ａに貼着されている。これらの本体部３０に使用される各生地は洗う事ができる生地で形成されており、僅かに伸縮を許容して、十分な柔軟性を有すると共に、変形も可能となっている。また該開口部３１は、図２に示されるように縫製の際に、開口部３１の縁部の全周について、縁部に配置された表地３０Ａ，裏地３０Ｂをそれぞれ折り返して縫い合わせる事によって形成されており、開口部３１の剛性を増すようになっている。なお、周縁部の表地と裏地を縫い合わせて剛性を高めるだけでなく、開口部３１の周縁に沿って芯地を配置してもよい。また、本体部３０は、底面パーツ３２と、開口部３１側よりも開口部３１から離れた側の幅を狭めた６枚の側面パーツ３３からなる７つのパーツを縫い合わせることによって、本体部３０を略半球状として作られており、各縫い合わせた部分の剛性が増し、芯地３０Ｃの機能と合わせて本体部３０の形状を安定させている。なお、本体部３０は略半球状以外にも、サイコロ状やその他の多角形状とするだけでなく、動物形状や植物形状、車両形状等、何らかの形状を模した形状とされていてもよい。
【００２３】
また収容体２０は、ほぼ球形状に形成され、表地２０Ａにパイル織りされたポリエステル等の生地を用いて、表地２０Ａの内側にポリエステル等よりなる中綿２０Ｂが配置された縫いぐるみ状とされており、柔軟性を有し、変形も可能である。該収容体２０内部には、発音手段２１が内設されており、発音手段２１は鈴枠２１Ｂ内に収容された鈴２１Ａで構成されている。また、収容体２０の正面側には鼻や口の膨らみに当る凸部６０が形成されていると共に、目や凸部６０の先端は鼻を示す刺繍５０が設けられており、該刺繍５０の材質は、レーヨンとなっている。更に、収容体２０の上方には耳に当る凸部６１，６１が形成されている。収容体２０に設けられた目や鼻の刺繍５０や、鼻や耳の凸部６０，６１、収容体２０の形状によって、収容体２０が動物の一部に模して形成されている。また、収容体２０の正面に対応した本体部３０には不織布等で縫合された正面識別手段３５が形成されている。実施の例では、くまの顔を模したものである。実施の例のくまの顔以外であっても構わなく、パンダ、ウサギ、ライオンなど様々な動物の顔やおしり等であってもよく、もちろん、植物における花や実、車両や船等の各種形状を模しても構わない。
【００２４】
収容体２０に内設されている発音手段２１の材質は、ポリエチレン等で形成されている。発音手段２１は、中綿２０Ｂ中に中空で複数の開口が設けられた鈴枠２１Ｂが配置され、鈴枠２１Ｂ中に鈴２１Ａが配置されている。鈴２１Ａは洗浄性を持たせる為にポリスチレン等の樹脂で形成され、開口が設けられたカバー内に球体が入れられている。このように鈴枠２１Ｂ内で鈴２１Ａが移動可能とされている為、鈴２１Ａの音や鈴２１Ａが鈴枠２１Ｂに当った際の音がリンリンと鳴る事となる。また、乳幼児が該玩具を踏みつけても、怪我をしないように、発音手段２１は、球形状や、円筒形などの、角がない形状に形成してあることが望ましい。なお、発音手段２１は鈴２１Ｂを使用する以外にも、発音板を叩く打楽器や、空気の流れで発音する笛等の各種発音手段を使用する事ができる。
【００２５】
また、収容体２０は、本体部３０に設けられている開口部３１の内径よりやや大きめに構成されている。つまり、略円形とされた開口部３１の直径よりも収容体２０の直径が大きくされており、ここでは、くまの顔とされた収容体２０の顔の幅が開口部３１の直径よりも大きくされている。このように構成することによって、図１（Ａ）に示すように中空とされた空洞３６内に収容体２０が収容された際に反転させても取れてしまう事がなく、また、開口部３１からの収容体２０の出し入れ操作において、開口部３１の剛性が高められている事と相まって適度な抵抗感が生まれ、乳幼児玩具１０を変形させながら出し入れする動きを促す事ができる。ここで、本体部の最大幅は７０〜１００ｍｍ程度とされており、開口部３１の直径は５０〜７０ｍｍとされ、収容体２０の最大幅は６０〜８０ｍｍとされ、開口部３１の直径に対して収容体２０の最大幅は１０ｍｍ程度大きく、１１０〜１２５％程度の範囲で大きくされている事が好ましい。
【００２６】
また、実施の例の収容体２０は、くまの顔を模しており、該くまの顔の高さが本体部３０の空洞３６の深さよりやや大きめに設けられている。このように構成することによって、ある程度までは、収容できるが、この状態において完全には収容できず、くまの耳や頭の一部が開口部３０から僅かに露出する。この状態から、本体部３０に収容体２０を完全に収容させる為には、収容体２０の一部又は全部の形を更に変形させて、押し込むようになる。この２段階の作業によって収容可能とすることによって、乳幼児に対して手指の動きを促すような効果を生むと共に飽きのこない玩具とすることができる。また、開口部３１から、収容体２０の一部を視認することが出来るために、乳幼児に開口部３１内に「なにかがある」と思わせることができ、乳幼児の興味を増すことができる。更に、収容体２０を本体部３０に完全に収容した状態にすると、本体部が略球状とされているため、ボールのように転がして遊ぶ事もできる。この時、発音手段２１が設けられているため、転がった乳幼児玩具１０が音を発し、手腕や手指だけでなく、身体全体を使った遊びを促す事もできる。なお、ここでは耳に当る凸部６１は指先で摘んで引き出す手がかりともなるが、収容体２０における連結手段４０との連結部とは逆側となる頭部の頂点に、より引き出しやすくするためのループ等の摘みを設けてもよい。
【００２７】
連結手段４０は、該本体部３０の開口部に対向した底部に接続されて、また、他端は、収容体２０の下部に接続されている。実施の例では、連結部の材質は、綿アクリル等の紐状部材であり、洗浄可能とされている。なお、この素材を紐状のゴムなどの弾性体を利用してもよく、本体部３０や収容体２０から着脱できるよう構成されていてもよい。
【００２８】
連結手段４０が設けられている為に、収容体２０と本体部３０は別々とならず、紛失する危険がないようになっており、収容体２０を出した状態で本体部３０を把持して振ることで、発音手段２１の音が発生するよう構成されている。また連結手段４０の長さは、本体部３０の底部から開口部３１までの長さとほぼ同じに設けられている。連結手段４０の長さを本体部３０の深さとほぼ同じにすることによって、くまの顔が飛び出た状態で止める事ができるだけでなく、本体部３０の開口部３１に対向するよう収容体２０が必ず配置されるため、細かな操作が困難な乳幼児であっても収容体２０を押し込むだけで、確実に収容することができる。連結手段４０の長さが本体部３０の深さより長い場合、収容体２０が逆さまに収容されることや、また、本体部３０の開口部３１へ収容体２０を運ぶことが必要となり、乳幼児玩具１０としては、難易度が高くなりすぎてしまう可能性があるだけでなく、紐状の連結手段４０が乳幼児に絡まる恐れがある為、本体部３０の深さとほほ同じに設けられている事が望ましい。
【００２９】
上述のように、金属素材を使用していないので、錆などは発生しないために、洗濯機などで、洗濯可能となっており、衛生面においても、非常に安全となっている。このことによって、乳幼児が該玩具をかじったり、なめたりしても、衛生的かつ安全に遊ぶことができる玩具である。
【００３０】
図３は、図１〜２に示された乳幼児玩具１０の変形例であって、図３（Ａ）は収容体２０を本体部３０に収容した状態を示しており、図３（Ｂ）は収容体２０が本体部３０から引き出された状態を示している。図３に示されるように乳幼児玩具１０の本体部３０は、底面パーツ３２に４枚の側面パーツ３３を縫合する事で、天面が開口部３１とされた略立方体形状とされている。また、本乳幼児玩具１０における正面識別手段３５はハートマークとされている。更に収容体２０はヒツジの頭部形状とされている。この他の構成は図１に示す乳幼児玩具１０と同様に構成されている。
【００３１】
図４〜７を用いて、収容体２０が複数設けられた他の実施例の説明を行う。収容体２０及び、本体部３０、連結手段４０と基本的な構成としては図１〜３に示す乳幼児玩具１０と同様である。つまり、ウサギを模した本体３０の背面に開口部３１が形成されており、開口部３１は空洞３６に連通しており、連結手段４０の一方の端部が空洞３６内に連結され、他方の端部が子ウサギを模した収容体２０に連結されている。
【００３２】
ここで、複数の収容体２０が設けられている乳幼児玩具１０の場合、全周が折り返して縫合されて他の部位より剛性が高められた本体部３０の開口部３１が、図４（Ｂ）に示すように、収容体２０の外形より、開口部３１の大きさが大きく設けられていて、収容体２０を２体並べて収容するように設けられている。そして図５（Ａ）に示すように長手方向に開口した開口部３１の一方向に対して、１体目の収容体２０を収容する。２体目の収容体２０は、他端の開口部３１方向から収容することになっている。このことにより１体目の収容体２０を収容する場合は、簡単に収容することができるが、２体目の収容体２０を収容する場合、１体目の収容体２０が収容されているために、収容された収容体２０と開口部３１で、開口径３７が狭くなっているために、２体目の収容体２０を収容することは難しくなっている。つまり、本実施例の乳幼児用玩具１０では、開口部は開口部３１と１体目の収容体２０によって構成されており、その内径よりも、２体目の収容体２０の直径が大きくなるよう構成されている。このように、図１〜４に示された乳幼児玩具１０に比べ、難易度が若干高くなっている。なお、収容体２０を複数としても構わないが、乳幼児が使用した場合の難易度を考慮すると、１〜３個程度までとする事が好ましい。
【００３３】
図８〜図９を用いて乳幼児の発育に伴う本発明品の遊び方の説明を行う。乳幼児の誕生〜一ヶ月半程度までは、原始反射が主となる期間であり、乳幼児自身が自らの物を持ったりする事は出来ないが、聴覚が優れている期間であり、例えば、お母さんが鈴を振ってあげる等、音に反応させてあげる遊びが適している。従って、本発明の乳幼児玩具１０を振ることによって、乳幼児玩具１０内に設けられた発音手段２１から音をだして、所謂ガラガラのように音のする玩具として遊ぶことができ、乳幼児の音に対する発育を伸ばすことができる。
【００３４】
一ヶ月半〜三ヶ月半程度までの乳幼児は、体の面では、手足は活発に動かし、物を握ることが可能になり、それ以外にも、視覚の発達に伴い動いているものや明るい光に反応し、音のする方向を見るようになり、人の声への反応が活発となり、声を出す（喃語）などある。このような時期に、本発明の乳幼児玩具１０では、乳幼児が玩具本体をガラガラのように持ち、乳幼児自身が、乳幼児玩具１０を振り音を発生させ、楽しむことができる。更に、徐々に、目が見えるようになってくる時期であり、物を追って見ることができるようになるので、ゆっくりした動きの玩具が適している。乳幼児玩具１０の場合では、例えば、お母さんは、色々な動きで、本体部３０から収容体２０などを出したり、隠れさせたりして、「いないいないばあ」遊びを行うことによって、コミュニケーションをとりながら、乳幼児玩具１０を目で追いながら見る事を促すことができる。
【００３５】
三ヶ月半〜六ヶ月半程度の乳幼児は、体の面では、筋力の発達、寝返りがあり、心の面では、感情の発達（喜ぶ、甘える、怒る）などがある。この時期では、乳幼児は、両手を使って遊べるようになってくる。乳幼児玩具１０の大きさは、乳幼児の口の大きさよりも大きく、完全に口の中には入らないサイズが望ましい。乳幼児は、乳幼児玩具１０を利用して、自分で玩具を持っていじったり噛んだりと様々な動きをするようになり、収容体２０を本体部３０から取り出す事ができるようになってくる。また、何度も繰り返すことを好む時期で、「いないいあないばあ」遊びなどを喜ぶ。収容体２０を出したり隠したりを乳幼児に対して繰り返し行うことで、隠れた存在の認識につながると共に、収容体２０が出てくることに期待し、期待が実現することを認識できるようになる。
【００３６】
六ヶ月半から九ヶ月半程度の乳幼児は、体の面で、歯が生え始める、ハイハイができるようになる。このときに、乳幼児は、自分自身で、収容体２０を出し入れと操作するようになり、様々な動きを学習することができる。また、乳幼児玩具１０を転がしてそれを追う等の体を動かした遊びを行うようになる。
【００３７】
上述のように、生まれた直後〜九ヶ月半までの間に、乳幼児の成長に応じて、様々な遊びを行うことができ、乳幼児の発育を助ける効果がある。また、０ヶ月〜６ヶ月半までの間、例えば、お母さんと乳幼児とのコミュニケーションを図ることができる素晴らしい玩具である。
【００３８】
なお、本発明は、上述の各実施例に限定されない。上述の各実施例は、相互に組み合わせて構成するようにしてもよい。また、上述の各実施例とは異なり、本体部３０や収容体２０を中空なフィルム素材で形成して、その中空内部に空気や水等を入れるように構成してもよく、柔軟な素材で形成されていればよい。更に、本発明品は乳幼児が使用するだけでなく、手指に何らかの障害が発生した成人等のリハビリ用として使用されるものであっても構わない。
【図面の簡単な説明】
【００３９】
【図１】本発明の一実施例である乳幼児玩具の外形を示す図であり、本体部を略半球状に形成した例である。
【図２】本発明の一実施例である図１に示す乳幼児玩具を中央で切断した断面図である。
【図３】本発明の一実施例である乳幼児玩具の外形を示す図であり、本体部をサイコロに形成した例である。
【図４】本発明の一実施例である乳幼児玩具の外形を示す図であり、２つの収容体を使用した例である。
【図５】本発明の一実施例である図４に示す乳幼児玩具から、収容体をそれぞれ取り出しした図である。
【図６】本発明の一実施例である図４に示す収容体の外観と、該収容体の断面を示す図である。
【図７】本発明の一実施例である図４に示す乳幼児玩具で、２つの収容体を収容した状態の断面を示す図である。
【図８】本発明の一実施例である乳幼児玩具を乳幼児が使用している状態使用している例である。
【図９】本発明の一実施例である乳幼児玩具を乳幼児に対して状態を示す図である。
【符号の説明】
【００４０】
１０    乳幼児玩具
２０    収容体
２０Ａ  表地
２０Ｂ  中綿
２１    発音手段
２１Ａ  鈴
２１Ｂ  鈴枠
３０    本体部
３０Ａ  表地
３０Ｂ  裏地
３０Ｃ  芯地
３１    開口部
３２    底面パーツ
３３    側面パーツ
３５    正面識別手段
３６    空洞
３７    開口径
４０    連結手段
５０    刺繍
６０    凸部
６１    凸部
【図１】
2005312701.tif 000003
【図２】
2005312701.tif 000004
【図３】
2005312701.tif 000005
【図４】
2005312701.tif 000006
【図５】
2005312701.tif 000007
【図６】
2005312701.tif 000008
【図７】
2005312701.tif 000009
【図８】
2005312701.tif 000010
【図９】
2005312701.tif 000011